(57)【特許請求の範囲】
【請求項１】
底面に開放端を有する中空形状の低音モノコックバッフルの上端開口部にボイスユニットが取り付けられたスピーカーであって、
前記低音モノコックバッフルの内部には、台座部と、該台座部より上方に延びる支柱部とを有するセンターポールが挿入され、
前記センターポールの前記支柱部の上端面と、上記低音モノコックバッフルの上端開口部との間に、コーン型の振動板を有する前記ボイスユニットが、その磁気回路が上記支柱部の上端面上に接着され配設され、
前記ボイスユニットの前記コーン型振動板の環状エッジは、前記低音モノコックバッフルの前記上端開口部に、振動吸収材を介して取り付けられ、
前記センターポールの前記台座部と、前記低音モノコックバッフルの前記底面開放端とは、柱状部材により連結されてなる、
ことを特徴とするスピーカー。
【請求項２】
請求項１に記載のスピーカーにおいて、
前記ボイスコイルの磁気回路には、当該磁気回路内の磁気ギャップと、当該磁気回路の底面とを連通する第１のセンターダクトが穿設され、
前記センターポールには、前記ボイスユニットの前記磁気回路が接着される前記上端面と、該上端面以外の当該センターポールの表面領域とを連通する第２のセンターダクトが穿設され、
前記第１のセンターダクトと、前記第２のセンターダクトとは、連接されている、
ことを特徴とするスピーカー。
【請求項３】
請求項１または２に記載のスピーカーにおいて、
前記センターポールは、アルミ部材よりなる、
ことを特徴とするスピーカー。
【請求項４】
請求項１ないし３のいずれかに記載のスピーカーにおいて、
前記低音モノコックバッフルの中空形状は、球形状のチャンバー部と、該チャンバー部の下方に続く筒形状のダクト部と、該筒形状のダクト部より下方にラッパ状に開口するホーン部とよりなり、
前記ボイスユニットの前記環状エッジは、前記チャンバー部の上端開口部に接続され、
前記低音モノコックバッフルのホーン部と、前記センターポールの前記台座部とが、前記柱状部材により連結されている、
ことを特徴とするスピーカー。
【請求項５】
請求項４に記載のスピーカーにおいて、
前記センターポールの前記台座部の外表面は、接地面に向けて広がるラッパ形状をなし、
該台座部の外表面と、前記ホーン部の内面とにより、前記チャンバー部で集音された低音を出力する環状ポートを形成する、
ことを特徴とするスピーカー。  
【発明の詳細な説明】
【技術分野】
【０００１】
本発明は、コーンに接続されたボイスコイルを磁気回路により振動させて放音するスピーカーに関し、特に、コーン以外の不要な振動を抑え、雑音の発生を抑制することのできるスピーカーに関するものである。
【背景技術】
【０００２】
従来のスピーカーの構成を、図４に示す。
【０００３】
図４においてスピーカー４００は、ヨーク１０と、マグネット１１と、プレート１２と、ボイスコイル１３と、ダンパー１４と、ダンパーフレーム１５と、センターキャップ１６と、コーン１７と、エッジ１８と、フレーム１９と、スピーカーキャビネット２０とを有する。
【０００４】
ヨーク１０、マグネット１１、及びプレート１２は、スピーカー４００において、ボイスコイル１３を駆動する磁気回路を形成し、ボイスコイル１３が、プレート８とヨーク１０との間に形成されるギャップ内部に、上下に振動可能なようにダンパー１４により固定されている。ボイスコイル１３の上端部にはコーン１６が接続されており、またボイスコイル１３の上面を覆うようにセンターキャップ１６が被着されている。コーン１７の周縁には、エッジ１８が接合されており、エッジ１８の他端は、ダンパーフレーム１５に固定されたフレーム１９に接合される。そして、フレーム１９が、スピーカーキャビネット２０に固定される。
【０００５】
上記従来のスピーカー４００において、図示しないアンプより送られる再生信号を忠実に再現するには、コーン１７のみを振動させるのが理想的とされている。しかしながら、音声信号の再生時において、コーン１７を振動させると、その反作用として、ヨーク１０、マグネット１１、及びプレート１２よりなる磁気回路が振動し、該振動がフレーム１９を介してスピーカーキャビネット２０に伝達してしまう。この結果、スピーカーキャビネット２０の振動が、雑音として再生音に混入し、音質が劣化するという問題が生じていた。このため、従来、スピーカーキャビネット２０の不要な振動を防止し、再生音の音質向上を図る様々な技術が開発されている。
【０００６】
図５は、特許文献１に記載のスピーカーの構成を示す図である。
【０００７】
特許文献１に記載のスピーカー５００は、スピーカーユニット５１のヨークと、接地面Ｇに固定された支持部材５２とを接合し、スピーカーキャビネット５３を、接地面Ｇから離間した状態で、前記支持部材５２により固定することで、磁気回路自体の振動を支持部材５２により接地面Ｇに吸収させ、磁気回路の振動が直接スピーカーキャビネット５３に伝達されるのを抑制し、これにより、スピーカーキャビネット５３の振動により生じる雑音を低減させている。
【特許文献１】特開平１１−１４６４７１号公報
【発明の開示】
【発明が解決しようとする課題】
【０００８】
しかしながら、上記特許文献１に記載のスピーカー５００は、スピーカーキャビネット５３と、スピーカーユニット５１のフレーム５４とが当接した状態で、スピーカーキャビネット５３が支持部材５２に固定されているので、磁気回路の振動を、支持部材５３により接地面Ｇに吸収させたとしても、フレーム５４を介してスピーカーキャビネット５３に伝達される振動を、完全に遮断することはできない。
【０００９】
また、磁気回路、及びコーンをフレームにより支持する上記従来のスピーカー４００において、コーンの背面に出された低音を増幅して出力する場合、フレーム自体の振動が、コーンの背面に出された低音に混入してしまい、低音の再生音にノイズが混入してしまう。さらには、コーンの背面に出された低音がフレームにより遮断されることで、低音域の再生音に歪みや、音のこもりが発生するという課題が生じる。
【００１０】
本発明は、上記課題を解決するためになされたものであり、コーン以外の振動を極力抑え、かつ低音領域をその音質を劣化させることなく増幅することができ、高音から低音まで幅広く音質を向上させることのできるスピーカーを提供することを目的とする。
【課題を解決するための手段】
【００１１】
上記課題を解決するために、本発明の請求項１に係るスピーカーは、底面に開放端を有する中空形状の低音モノコックバッフルの上端開口部にボイスユニットが取り付けられたスピーカーであって、前記低音モノコックバッフルの内部には、台座部と、該台座部より上方に延びる支柱部とを有するセンターポールが挿入され、前記センターポールの前記支柱部の上端面と、上記低音モノコックバッフルの上端開口部との間に、コーン型の振動板を有する前記ボイスユニットが、その磁気回路が上記支柱部の上端面上に接着され配設され、前記ボイスユニットの前記コーン型振動板の環状エッジは、前記低音モノコックバッフルの前記上端開口部に、振動吸収材を介して取り付けられ、前記センターポールの前記台座部と、前記低音モノコックバッフルの前記底面開放端とは、柱状部材により連結されてなることを特徴とする。
【００１２】
これにより、コーン以外の振動を極力抑えることができるので、再生音への雑音の混入を抑えることができ、再生音の音質を向上させることが可能となる。
【００１３】
また、本発明の請求項２に係るスピーカーは、請求項１に記載のスピーカーにおいて、前記ボイスコイルの磁気回路には、当該磁気回路内の磁気ギャップと、当該磁気回路の底面とを連通する第１のセンターダクトが穿設され、前記センターポールには、前記ボイスユニットの前記磁気回路が接着される前記上端面と、該上端面以外の当該センターポールの表面領域とを連通する第２のセンターダクトが穿設され、前記第１のセンターダクトと、前記第２のセンターダクトとは、連接されていることを特徴とする。
【００１４】
これにより、ギャップ内部が密閉状態になるのを防止することができるので、ボイスコイルをスムーズに振動させることができ、再生信号を忠実に音声振動に変換することが可能となる。
【００１５】
また、本発明の請求項３に係るスピーカーは、請求項１または２に記載のスピーカーにおいて、前記センターポールは、アルミ部材よりなることを特徴とする。
【００１６】
これにより、ボイスユニットに発生する熱や誘導電流を、効率よくグランドに逃がすことができ、再生音質の向上を図ることが可能となる。
【００１７】
また、本発明の請求項４に係るスピーカーは、請求項１ないし３のいずれかに記載のスピーカーにおいて、前記低音モノコックバッフルの中空形状は、球形状のチャンバー部と、該チャンバー部の下方に続く筒形状のダクト部と、該筒形状のダクト部より下方にラッパ状に開口するホーン部とよりなり、前記ボイスユニットの前記環状エッジは、前記チャンバー部の上端開口部に接続され、前記低音モノコックバッフルのホーン部と、前記センターポールの前記台座部とが、前記柱状部材により連結されていることを特徴とする。
【００１８】
これにより、コーンの背面に出された低音を、雑音を混入させることなく集音し、所定の周波数で共振させることができるので、増幅した低音の音質を向上させることが可能となる。
【００１９】
また、本発明の請求項５に係るスピーカーは、請求項４に記載のスピーカーにおいて、前記センターポールの前記台座部の外表面は、接地面に向けて広がるラッパ形状をなし、該台座部の外表面と、前記ホーン部の内面とにより、前記チャンバー部で集音された低音を出力する環状ポートを形成することを特徴とする。
【００２０】
これにより、増幅された低音を放音するポートを簡易に形成することが可能となる。
【発明の効果】
【００２１】
本発明によるスピーカーによれば、中空形状をなす低音モノコックバッフル内にセンターポールを収容して、該センターポール上にボイスユニットを固定し、コーンの端縁に接合されたエッジを、低音モノコックバッフルに振動吸収材を介して接合し、支持部材を用いて、低音モノコックバッフルをセンターポールに固定するので、磁気回路の振動がモノコックバッフルへ直接伝達されるのを抑制することができ、これにより、低音モノコックバッフルの振動によるノイズの発生を防止することができ、再生音の音質を向上させることが可能となる。
【００２２】
また、磁気回路のギャップと、ギャップ外部とをダクトにより連通して、ギャップ内部の空気圧を、ギャップ外部に逃がすこととしたので、ボイスコイルをスムーズに振動させることができ、これにより、ボイスコイルを再生信号に忠実に振動させることが可能となり、音質の向上を図ることができる。
【００２３】
また、本発明によるスピーカーは、従来のスピーカーのように、磁気回路とコーンとを支持するフレームを有していないので、コーンの背面に出された低音を集めて増幅する際に、フレーム自体の振動により生じる雑音成分が、集音された低音に混入することがなく、増幅した低音の音質を向上させることが可能となる。さらに、コーンの背面より出された低音が、フレームにより遮断されることがないので、音のこもりや歪みを生じさせることなく低音を集音、増幅することができる。
【発明を実施するための最良の形態】
【００２４】
以下、本発明の実施の形態について説明する。
（実施の形態１）
図１は、本実施の形態１に係るスピーカー１００の概観図であり、図２はスピーカー１００の垂直断面図である。
【００２５】
本実施の形態１によるスピーカー１００は、アンプより出力される再生信号を音声振動に変換するボイスユニット１０１と、ボイスユニット１０１を支持するセンターポール１０２と、ボイスユニット１０１の正面、及び背面に出された音を遮断し、かつボイスユニット１０１の背面に出た低音を集め、所望の周波数で共振させて出力する低音モノコックバッフル１０３とを有する。
【００２６】
以下、本実施の形態１のスピーカー１００の構成について説明する。
【００２７】
まず、ボイスユニット１０１、センターポール１０２、及び低音モノコックバッフル１０３のそれぞれの詳細な構成について説明する。
【００２８】
図３は、ボイスユニット１０１付近の拡大断面図である。
【００２９】
ボイスユニット１０１は、ヨーク１０と、マグネット１１と、プレート１２と、ボイスコイル１３と、ダンパー１２と、ダンパーフレーム１５と、センターキャップ１４と、コーン１７と、エッジ１６とを有する。
【００３０】
ヨーク１０は、フランジと、円柱形状の軸芯とを有する垂直断面凸形状の金属部材である。ヨーク１０の軸芯には、ヨーク１０の軸芯より径の大きな環状空隙を有する円環形状のマグネット１１、及びプレート１２が挿入され、ヨーク１０、マグネット１１、及びプレート１２により、ボイスコイル１３を駆動する磁気回路が形成される。ヨーク１０の中心には、ヨーク１０を上下に貫通するセンターダクト１０ａが穿設されている。
【００３１】
ヨーク１０と、プレート１２との間にはギャップが形成され、該ギャップには、筒芯に細い銅線やアルミニウム等のコイルを巻回したボイスコイル１３が挿入される。
【００３２】
プレート１２の上面には、ダンパー１４が、ダンパーフレーム１５により固定される。ダンパー１４は、ボイルコイル１３をギャップの中央に位置するよう支持するものであり、本実施の形態１では、同心円状のヒダをつけて成型したコルゲーションダンパーを使用している。
【００３３】
ボイスコイル１３の上面には、ギャップ内への埃の進入を防ぎ、コーン１７の補強や高域音質の調整を行うセンターキャップ１６が被着される。また、ボイスコイル１３の上側端部には、スピーカー１００の振動板であるコーン１７の基部が接合され、コーン１７の外側周縁には、コーン１７を支えるとともに、コーン１７の前後の運動を調整するエッジ１８が接着されている。
【００３４】
次に、センターポール１０２の構成について、図２を用いて説明する。
【００３５】
センターポール１０２は、ボイスユニット１０１を固定支持する柱形状の支柱部１０２ａと、スピーカー１００の台座として機能し、かつ低音モノコックバッフル１０３を、柱状部材によりセンターポール１０２上に支持する台座部１０２ｂとよりなる。
【００３６】
支柱部１０２ａは、接地面に対して垂直に設けられており、その上端面には、ボイスユニット１０１の磁気回路が接合される平面が形成される。
【００３７】
台座部１０２ｂは、平面円形状のラッパ形状をなし、低音モノコックバッフル１０３を支持する支持柱１０４が配設される凹陥部が形成されている。なお、台座部１０２ｂの形状は、ラッパ形状に限るものではなく、テーパ状に形成したり、あるいは、その平面形状を多角形とするラッパ形状、あるいはテーパ形状としてもよい。
【００３８】
センターポール１０２の内部には、支柱部１０２ａの上端平面からその内部を貫通し、台座部１０２ｂの側面に開口するセンターダクト１０２ｃが設けられている。センターダクト１０２ｃは、センターポール１０２とボイスユニット１０１との接合面において、ヨーク１０の内部に穿設されたセンターダクト７ａと連接し、ボイスユニット１０１のギャップ内部の空気圧を、センターポール１０２の外部に逃がすものである。また、センターダクト１０２ｃ、１０ａの内部には、アンプからボイスユニット１０１へ送られる信号線（図示せず）が配線される。
【００３９】
また、台座部１０２ｂは、その表面と、後述する低音モノコックバッフル１０３の低音ホーン１０３ｃの内側面とにより、低音モノコックバッフル１０３で増幅された低音を放音する円環状のポートを形成する。
【００４０】
なお、センターポール１０２は、上述のように、ボイスユニット１０１を固定支持する他に、ボイスユニット１０１からの熱、誘導電流、及び振動を接地面に逃がす役割を担い、放熱性や導電性の観点より、アルミ部材で形成するのが好ましい。
【００４１】
次に、低音モノコックバッフル１０３の構成について、図２を用いて説明する。
【００４２】
低音モノコックバッフル１０３は、球体形状の低音チャンバー１０３ａと、筒形状の低音ダクト１０３ｂと、ラッパ形状の低音ホーン１０３ｃとよりなる。低音モノコックバッフル１０３は、中空形状を形成することができるものであれば、いかなる材料を用いてもよく、例えば、アクリル、塩化ビニル、木材、ガラス、陶器等の材料により形成することができる。低音モノコックバッフル１０３は、低音チャンバー１０３ａ、低音ダクト１０３ｂ、及び低音ホーン１０３ｃを一体形成することが好ましいが、それ以外であっても、低音モノコックバッフル１０３の全体形状を所望の位置で分割して、複数の構成部分を形成し、これらを接合するようにすればよく、例えば、低音モノコックバッフル１０３の全体形状を、低音チャンバー１０３ａ部の水平面で上下に２分割して、上下２つの構成部分をそれぞれ形成し、これらを互いに接合すればよい。
【００４３】
低音チャンバー１０３ａは、コーン１７の前面より出た音と、背面に出た音とを遮断し、かつコーン１７の背面から出た低音を集めて、低音ダクト１０３ｂに送るものである。低音チャンバー１０３ａの上面には、ボイスユニット１０１のエッジ１８が接続される開口部が設けられている。なお、低音モノコックバッフル１０３の形状は球形状に限らず、ボイスユニット１０１のコーン１７の背面を覆う空間が形成されているものであれば、横長楕円形状、あるいは縦長楕円形状など、任意の形状とすることができる。
【００４４】
低音ダクト１０３ｂは、低音チャンバー１０３ａより延伸する筒型形状をなし、共振させる低音の周波数を調整するものである。低音ダクト１０３ｂの長さ、及びその径を適宜選択することで、共振させる低音周波数を調整することができる。
【００４５】
低音ホーン１０３ｃは、接地面に向って円形に開口するラッパ形状をなし、低音ダクト１０３ｂにて調整された低音を増幅して出力するものであり、低音ホーン１０３ｃの内側面と、センターポール１０２の台座部１０２ｂの外側面との間でポートを形成し、増幅された低音を放音する。低音ホーン１０３ｃにはネジ穴を有する凹陥部が設けられており、その内面側に支持柱１０４が当接する。なお、低音ホーン１０３ｃはラッパ形状に限るものではなく、テーパ状に形成したり、あるいは、平面多角形とするラッパ形状、あるいはテーパー形状としてもよい。
【００４６】
次に、スピーカー１００の全体構成について図２、及び図３を用いて説明する。
【００４７】
ボイスユニット１０１のヨーク１０の底面と、センターポール１０２の支柱部１０２ａの上端平面とは、センターポール１０２のセンターダクト１０２ｃと、ヨーク１０のセンターダクト１０ａとが連通するように、接着剤を用いて接合される。
【００４８】
低音モノコックバッフル１０３は、低音チャンバー１０３ａにおいて、振動吸収材２１を介してボイスユニット１０１に取り付けられ、低音ホーン１０３ｃにおいて、支持柱１０４によりセンターポール１０２に固定される。
【００４９】
具体的には、図３に示すように、低音チャンバー１０３ａ上面に設けられた開口部の外側端縁に、ジェルやゴムなどの振動吸収材２１が貼設され、ボイスユニット１０１のエッジ１８の外側端縁が、振動吸収材２１の上面に貼着される。
【００５０】
また、低音ホーン１０３ｃにおいては図２に示すように、センターポール１０２の台座部１０２ｂに設けた凹陥部に、振動吸収材１０５を載置し、その上に支持柱１０４を配設する。そして、支持柱１０４の上端を、低音ホーン１０３ｃの凹陥部の内面側に当接させ、低音ホーン１０３ｃの凹陥部より、支持柱１０４の内部にボルト１０６を貫通させ、センターポール１０２の台座部１０２ｂ下面にて、振動吸収材１０５、及び座金１０８を介してナット１０７を締め付ける。なお、図上では表れていないが、本実施の形態１のスピーカー１００では、３本の支持柱１０４を用いて低音モノコックバッフル１０３を固定している。
【００５１】
次に、以上のように構成されるスピーカー１００により再生信号の音質を向上させる作用、効果について説明する。
【００５２】
図示しないアンプより音声電流がボイスコイル１３に流れ込むと、ボイスコイル１３が音声電流に応じてエッジ内で振動する。ボイスコイルが振動すると、ボイスコイル１３に接続されたコーン１７が上下に振動し、コーン周辺の空気が振動することで、音が発生する。
【００５３】
このとき、ボイスユニット１０１のギャップ内部の空気圧は、センターダクト１０ａ，１０２ｃを通してボイスユニット１０１の外部に逃がされているので、ボイスコイル１３は、密閉状態のギャップ内部よりも、上下にスムーズに振動する。
【００５４】
また、ボイスコイル１３が振動すると、その反作用が、ボイスユニット１０１の磁気回路に生じるが、磁気回路は、接地面に対して垂直に設けられたセンターポール１０２の支柱部１０２ａに固定されており、磁気回路に生じる振動は接地面に逃がされるので、磁気回路が、ボイスコイル１３の振動の反作用を受けて振動することはなく、この結果、音声信号はコーン１７の振動のみに変換されることになる。
【００５５】
したがって、本発明のスピーカー１００によれば、コーン１７のみを、入力される音声信号に応じてスムーズに振動させることが可能となり、これにより、音声信号を忠実に再現することができ、音質を向上させることが可能となる。
【００５６】
また、磁気回路に生じる振動は、センターポール１０２を介して、接地面及び、振動吸収材１０５により吸収され、また、コーン１７自体の振動は、振動吸収材１６により完全に吸収されるので、放音時に、低音モノコックバッフル１０３が振動するのを防止することができ、これにより、低音モノコックバッフル１０３の振動に起因する雑音の発生を防止することができる。
【００５７】
また、本実施の形態１によるボイスユニット１０１には、コーン１７を背面より支持するフレームが存在しないので、コーン１７の背面より出る低音を集音して増幅する場合は、低音チャンバー１０３ａで集められる低音に、フレーム自体の振動により生じるノイズ成分が混入することはない。また、コーン１７の背面から出た低音は、フレームなどの障害物により遮断されることなく低音チャンバー１０３ａ内で集められるので、音のこもりや歪みを生じさせることなく低音を増幅することができる。
【００５８】
さらに、コーン１７の背面より出る低音を集音する際には、コーン１７の背面に向けて出された低音による振動が、低音チャンバー１０３ａ内部の空気を介して低音チャンバー１０３ａに伝わるが、低音チャンバー１０３ａは、剛性が高く歪みの少ない球形状であるので、低音チャンバー１０３内の空気振動により低音チャンバー１０３ａ自身が振動することはなく、低音への不要なノイズの混入は防止される。
【００５９】
以上のように、本実施の形態１によるスピーカーによれば、中空形状をなす低音モノコックバッフル内にセンターポールを収容して、該センターポール上にボイスユニットを固定し、コーンの端縁に接合されたエッジを、低音モノコックバッフルに振動吸収材を介して接合し、支持部材を用いて、低音モノコックバッフルをセンターポールに固定するものとしたので、磁気回路の振動がモノコックバッフルへ直接伝達されるのを抑制することができ、これにより、コーン以外の振動によるノイズの発生を防止することができ、再生音の音質向上を図ることが可能となる。
【００６０】
また、磁気回路のギャップと、ギャップ外部とをダクトにより連通することしたので、ギャップ内部の空気圧を、ギャップ外部に逃がすことができ、これにより、ボイスコイルをスムーズに振動させることができ、音声信号を忠実に再現することができる。
【００６１】
また、センターポール１０２は、接地面に対して垂直に設けているので、磁気回路に生じる振動を、接地面に効率よく逃がすことができ、磁気回路の振動を確実に防止することができ、音声信号を忠実に再現することができる。
【００６２】
また、本実施の形態１によるボイスユニットは、従来のスピーカーのように、磁気回路とコーンとを支持するフレームを有していないので、コーンの背面に出された低音を集音して増幅する際に、フレーム自体の振動により生じる雑音成分が、集音された低音に混入することがなく、低音増幅時の音質を向上することができる。さらに、コーンの背面より出された低音が、フレームにより遮断されることがないので、音のこもりや歪みを生じさせることなく、低音を集音し、増幅することができる。
【産業上の利用可能性】
【００６３】
本発明に係るスピーカーによれば、コーン以外の不要な振動を防止し、低音を、ノイズを混入させることなく集音して増幅することができ、低音から高音まで幅広い音域の音質を向上することができるスピーカーを提供することができる点において有用である。
【図面の簡単な説明】
【００６４】
【図１】本発明の実施の形態１に係るスピーカーの概観図である。
【図２】本発明の実施の形態１に係るスピーカーの垂直断面図である。
【図３】本発明の実施の形態１に係るスピーカーの、ボイスユニット付近の垂直断面図である。
【図４】従来のスピーカーの構成を示す図である。
【図５】特許文献１に記載のスピーカーの構成を示す図である。
【符号の説明】
【００６５】
１０  ヨーク
１０ａ  センターダクト
１１  マグネット
１２  プレート
１３  ボイスコイル
１４  ダンパー
１５  ダンパーフレーム
１６  センターキャップ
１７  コーン
１８  エッジ
１９，５４  フレーム
２０，５３  スピーカーキャビネット
２１，１０５  振動吸収材
５１  スピーカーユニット
５２  支持部材
１０１  ボイスユニット
１０２  センターポール
１０２ａ  支柱部
１０２ｂ  台座部
１０２ｃ  センターダクト
１０３  低音モノコックバッフル
１０３ａ  低音チャンバー
１０３ｂ  低音ダクト
１０３ｃ  低音ホーン
１０４  支持柱
１０６  ボルト
１０７  ナット
１０８  座金  
【要約】
【課題】コーン以外の振動により生じるノイズの発生を抑え、音質の向上を図ることが可能なスピーカーを提供する。
【解決手段】底面に開放端を有する中空形状の低音モノコックバッフルの上端開口部にボイスユニットが取り付けられたスピーカーであって、前記低音モノコックバッフルの内部には、台座部と、該台座部より上方に延びる支柱部とを有するセンターポールが挿入され、前記センターポールの前記支柱部の上端面と、上記低音モノコックバッフルの上端開口部との間に、コーン型の振動板を有する前記ボイスユニットが、その磁気回路が上記支柱部の上端面上に接着され配設され、前記ボイスユニットの前記コーン型振動板の環状エッジは、前記低音モノコックバッフルの前記上端開口部に、振動吸収材を介して取り付けられ、前記センターポールの前記台座部と、前記低音モノコックバッフルの前記底面開放端とは、柱状部材により連結されてなるものとした。
【選択図】  図２【図１】
0004081133.tif 000002
【図２】
0004081133.tif 000003
【図３】
0004081133.tif 000004
【図４】
0004081133.tif 000005
【図５】
0004081133.tif 000006